(57)【要約】      （修正有）【課題】パーティ会場などで、自己が使用するワイングラスの縁に取り付けて他人のそれと識別する識別子として利用でき、グラスを破損する可能性を低減させたクリップを提供する。【解決手段】グラスの縁を跨ぐ外側部材１１と内側フック２１とを有し、外側部材１１と内側フック２１とで、グラスを内外から弾性的に着脱可能に挟み、その存在によって他のグラスと区別できるクリップであって、上記外側部材１１のグラス側はグラスの外面への当接部１４を一箇所有し、上記内側フック２１は線状材でその長さ方向中点を境に左右対称に形成され、外側部材１１に両方の端部２２，２２が繋がっており、かつ、グラスの内面への当接部２６を、グラスへの取り付け時における同じ高さに二箇所有するグラス区別用クリップとする。【選択図】図２
0003147010.tif 000002
【実用新案登録請求の範囲】
【請求項１】
グラスの縁を跨ぐ外側部材（１１）と内側フック（２１）とを有し、外側部材（１１）と、内側フック（２１）とで、グラスを内外から弾性的に着脱可能に挟み、その存在によって他のグラスと区別できるクリップであって、
上記外側部材（１１）は取り付け時にグラスの外面に接する当接部（１４）を一箇所有し、
上記内側フック（２１）は、線状材でその長さ方向中点を境に左右対称に形成され、上記外側部材（１１）に両方の端部（２２，２２）が繋がっており、かつ、取り付け時にグラスの内面に接する当接部（２６、２６）を二箇所有する、グラス区別用クリップ。
【請求項２】
上記内側フック（２１）を構成する線状材の両方の端部（２２、２２）が横並べに一体として外側部材（１１）に取り付けてあり、
上記線状材を、端部（２２，２２）から離れたところで左右対称に分岐させ、離れた左右対称の位置に上記当接部（２６、２６）があり、上記線状材の中点が上記内側フック（２１）の下方先端部（２５）となっている請求項１に記載のグラス区別用クリップ。
【請求項３】
上記内側フック（２１）は当接部（２６、２６）から下方に向かって、上記外側部材（１１）からから離れるように反った請求項１又は２に記載のグラス区別用クリップ。
【請求項４】
上記内側フック（２１）を構成する上記線状材が断面円形である請求項１から３のいずれか１つに記載のグラス区別用クリップ。
【請求項５】
上記外側部材（１１）が板状である請求項１から４のいずれか１つに記載のグラス区別用クリップ。
【請求項６】
上記外側部材（１１）の当接部（１４）より上方が上記内側フック（２１）から離れるように反った請求項５に記載のグラス区別用クリップ。
【請求項７】
上記内側フック（２１）を構成する上記線状材の、上記外側部材（１１）との間隔Ｌが、上記端部（２２，２２）から延びて上記外側部材（１１）に沿うように曲げた箇所で最大となり、そこから当接部（２６，２６）へ近づくにつれて狭まるものとした請求項６に記載のグラス区別用クリップ。
【請求項８】
上記外側部材（１１）の当接部（１４）より下方がグラスの外面から離れるように反った請求項５から７のいずれか１つに記載のグラス区別用クリップ。
【請求項９】
上記外側部材（１１）の当接部（１４）より下方の反った箇所に貫通孔（１５）を設けた請求項８に記載のグラス区別用クリップ。
【請求項１０】
上記外側部材（１１）の貫通孔（１５）より下方は、上記内側フック（２１）から離れる反りが、それより上方の反りよりも緩やかとなった請求項９に記載のグラス区別用クリップ。
【請求項１１】
上記外側部材（１１）の当接部（１４）より左右両方が、グラスの外面から離れるように反った請求項５から１０のいずれか１つに記載のグラス区別用クリップ。
【請求項１２】
請求項１から１１のいずれかに記載のグラス区別用クリップを複数備え、それぞれの上記外側部材（１１）の形状、模様、又は色彩の少なくともいずれかが異なるグラス区別用クリップセット。
【考案の詳細な説明】
【技術分野】
【０００１】
この考案は、グラスの縁に取り付け、その存在により他のグラスと区別可能とするクリップに関する。
【背景技術】
【０００２】
パーティ会場で用いられるワインなどを注ぐグラスは、基本的に同一形状のものを揃えるのが基本であり、各個人に配られたものをそれぞれ判別する要素を有することは希である。食事の間中座っているのであれば不都合は生じないが、立食パーティの場合は各人が予測不可能に動き回り、グラスを手に取り、また、手放したりする頻度も高いために、誰がどのグラスを使用したのかわからなくなることが多い。
【０００３】
結果として、間違えて他人の使用したグラスを使用してしまうことが高い頻度で起こる。これは、衛生上の問題だけでなく、参加者の気分の点からも問題となる。
【０００４】
また、そのような混同をおそれて、その場その場で新たなグラスを使用するという傾向も見られる。それにより使用するグラスの数が増え、パーティ終了後に食器を洗浄する手間と水量を増加させてしまう。
【０００５】
これに対し、自分が使っているグラスであることを自他に認識させる方法として、グラスに取り外し可能な識別子を付する方法が挙げられる。これは接着剤のついたシールでも可能であるが、接着力が弱いと意図せずに剥がれてしまうことがあり、一方で、接着力が強すぎると使用後に糊残りを起こしたり剥がせなくなったりするおそれがある。また、無粋なデザインのシールではパーティの雰囲気を損ねてしまう場合もある。
【０００６】
これに対し、金属板を二つに折り曲げた板バネからなる、グラスの飲み口部に跨って取り付ける識別用クリップが存在している。その例を図９に示す。図９（ａ）は板バネを取り付けた際の斜視図であり、図９（ｂ）は縦方向断面図である。一枚の金属板を折り曲げた板バネからなるクリップ１は、外側の板２の中心と、内側の板３の両端とでグラスと接する。外側の板２の面にトランプの絵柄など、個々を識別できる記号や模様が記載されているため、取り付けた者が誰であるかを表示することが出来る。また、勝手に外れることはまずなく、使用後にシール残しが生じることもない。
【考案の開示】
【考案が解決しようとする課題】
【０００７】
しかしながら、板バネからなるクリップ１は、板バネを構成する二枚の板２，３がグラスの湾曲面を挟むために、弾性強度の調整が困難であり、グラスの強度が低い場合には、特に取り付け時に接触部分に無理な力が掛かり、グラスを破損させてしまうおそれがある。一方で、グラスの湾曲面の曲率半径は様々であり、単純に板バネの板を湾曲させたものを作製したとしても、グラスの曲率半径に一致するという保証はなく、かえって無理な力を掛けてしまいグラスを割りやすくしてしまうおそれすらあった。
【０００８】
さらに、グラスの縁１０１は製造上わずかに膨らんでいるため、単純な板バネ構造ではこの膨らみを挟んで無理な力が掛かってしまう場合もあった。
【０００９】
そこでこの考案は、グラスの縁に取り付けて、他のグラスと区別するための識別子として用いる際にグラスを破損する可能性を抑えたグラス区別用クリップを提供することを目的とする。
【課題を解決するための手段】
【００１０】
この考案は、グラスの縁を跨ぐ外側部材１１と内側フック２１とを有し、外側部材１１と、内側フック２１とで、グラスを内外から弾性的に着脱可能に挟み、その存在によって他のグラスと区別できるクリップであって、
上記外側部材１１は取り付け時にグラスの外面に接する当接部１４を一箇所有し、
上記内側フック２１は、線状材でその長さ方向中点を境に左右対称に形成され、上記外側部材１１に両方の端部２２，２２が繋がっており、かつ、取り付け時にグラスの内面に接する当接部２６、２６を二箇所有する、グラス区別用クリップにより、上記の課題を解決したのである。
【００１１】
この考案にかかるクリップをグラスの縁を跨いで取り付けると、上記外側部材１１の一カ所の当接部１４と、線状材からなる上記内側フックの左右対称に設けられた当接部２６，２６との三カ所でグラスと接することとなる。線状材からなることで弾性を確保し、容易に取り付け、取り外し可能とするとともに、三カ所でグラスと接するために、取り付け姿勢を安定させることができる。また、線状材の長さ方向中点を中心に左右対称に当接部２６，２６を設けてあることによって、グラスに掛かる力が偏らなくなるので、取り付け時に破損しにくく、また、取り付け作業自体も容易となる。グラスの縁部分が膨らんでいても、内側フック２１が線状材であるために弾性変形しやすく、無理な力が掛からずに取り付けることができる。さらに、フックとなる線状材ではなく別途設けた上記外側部材をグラスの外側に持ってくることによって、外側部材１１がグラスの曲面に一箇所で接すればよいものとし、外側から見たときに容易に区別可能な様々な形態をとることができる。
【００１２】
また、上記内側フック２１を構成する線状材の両方の端部２２，２２を、横並べに一体として外側部材１１に取り付けたものとすると、内側フック２１と外側部材１１との間の連結部分が弾性変形しやすく、内側フック２１の弾性変形を吸収しやすくなる。
一方で、上記の左右対称となる当接部２６，２６を形成させるため、上記線状材は端部２２，２２から離れたところで左右対称に分岐させ、この分かれた左右対称の箇所に当接部２６，２６を設けるようにする。また、この当接部２６，２６が内側フック２１の下方最先端に位置するのではなく、上記線状材の長さ方向中点が下方先端部２５として当接部２６，２６より下方に位置する。すなわち、外側部材１１と内側フック２１とが最も接近した箇所よりも下方では、より間隔が広がっている。これにより、より広い間隔でグラスへの取り付け位置を大まかに定め、内側フック２１の外側部材１１側の線に沿ってグラスを滑らせて、容易に嵌めることができるようになる。
【００１３】
上記の内側フック２１の当接部２６，２６から下方先端部２５へ向かって、外側部材１１から離れるように反っていると、グラスへの取り付けの際に、外側部材１１及び内側フック２１間の隙間Ｌとグラスの縁との水平位置がよりずれていても、その反りに沿ってグラスの縁を滑らせ、隙間Ｌにグラスの縁を嵌めやすくなる。この反りは直線的なものであってもよいが、曲線的であるとより滑らせやすく好ましい。
【００１４】
上記の内側フック２１を構成する線状材は、断面円形であるとよい。加工しやすく、また、曲げた際にも角がないため捻れが現れにくく、当接部２６，２６やその他の部位の曲線を緩やかにし、取り付け時にひっかかることをなくし、美的にも優れたものとすることができる。また、このような線状材の材料は種々の金属材料を用いることができるが、特に銀製又は金製であると装飾品としても強度としても好ましい。なお、金を用いる場合は強度の点から１８金が望ましい。なお、材料とする金属にもよるが、線状材の径は０．５〜２ｍｍ程度であると加工しやすく、かつ弾性を確保しやすい。
【００１５】
上記の外側部材１１の具体的な形状が板状であると、玉状や角柱であるよりも、板面にそって嵌めやすく、かつ、板の形状や板面の模様や色彩によって各々のクリップを区別しやすくなるので好ましい。なお、その場合は上記の内側フック２１を構成する線状材の先端が、板状である外側部材１１のグラス側面上の、当接部１４より上方に取り付けられたものとなる。
【００１６】
上記の外側部材１１が板状である場合、その当接部１４より上方が、内側フック２１から離れるように反っていると、グラスの縁からこの考案にかかるクリップを取り外すとき、外側面の反りに指がひっかかるので、強い力を加えなくてもこのひっかかりによって引き抜くことができる。特に、外側部材１１の表面を鏡面加工していたりして、滑りやすくなっている場合に有効である。
【００１７】
また、そのように当接部１４より上方が、内側フック２１から離れるように反っている場合には、上記内側フック２１を構成する上記線状材の、外側部材１１との間隔が、端部２２，２２から伸びて外側部材１１に沿うように曲げた箇所で最大となり、そこから当接部２６，２６へ近づくにつれてその間隔が狭まるものとするとよい。すなわち、当接部２６，２６より上方で隙間が大きくなっているので、縁が厚く膨らんでいるグラスにも無理なく対応できる。当接部１４，及び当接部２６，２６はグラスの縁より下の薄くなっている箇所に当たることになる。
【００１８】
一方、上記外側部材１１が板状である場合には、当接部１４より下方も内側フック２１から離れるように反っていると好ましい。この反りがあると、この考案にかかるクリップを指で摘んでグラスに取り付ける際に、指の先に反りの外側部分が当たることで、グラスを摘む方向、すなわちクリップを閉ざす方向に力を加えなくても、グラスの下方へ指を推し進めることで、その下方へ向かう力をクリップに容易に伝えることができるので、取り付けやすい。特に外側部材１１の外側が滑りやすい鏡面仕上げである場合に、反りがまったく無いと、指が滑ってしまい、グラスの縁の膨らんだ部分を当接部１４と当接部２６，２６との間を通す際に、下向きの力を伝えることが困難になる場合がある。また、この考案にかかるクリップをグラスの縁に取り付ける際に、当接部１４及び当接部２６，２６の間の隙間Ｌとグラスの縁との位置が多少ずれていても、この反りのグラス側面に沿ってグラスの縁を滑らせることで、位置のずれを吸収し、容易に取り付けることができるようになる。なお、この反りを構成する部分は直線的なものでもよいが、湾曲した曲線的なものであると、指の先に合い、グラスの縁を滑らせるにもよい。
【００１９】
また、上記のように当接部１４より下方が内側フック２１から離れるように反っている場合に、その下方の反っている箇所に、貫通孔１５を設けておくとよい。反っていることで、グラスへの取り付け時にグラスとの間に隙間ができるので、ロープ、ストラップ、チェーン、ピアスなどの装飾品を取り付けることができる。
【００２０】
さらに、貫通孔１５を設ける場合には、貫通孔１５より下方の反りが、それより上方の反りよりも緩やかになっていると好ましい。取り付ける装飾品がピアスなどで、変形せずに垂れ下がる物である場合、貫通孔１５より下方も内側フック２１から離れるように大きく反っていると、取り付けたピアス等も上に跳ねたものとなってしまい、本来ピアス型装飾品がもっとも美しく見える下方へ垂れ下がる形態とはかけ離れた状態になってしまうからである。この反りを緩やかにし、貫通孔１５より下方が下へ向くようにすると、ピアスなどを美しく演出できる。
【００２１】
上記の外側部材１１が板状である場合には、上記の当接部１４の上下に設けた反りとは別に、当接部１４の左右両方が、グラスの外面から離れるように反ったものであると、グラスの外面と接触する箇所が当接部１４の一点に絞り込まれ、取り付け位置がずれにくくなる。
【００２２】
外側部材１１は一種類に限られず、形状、模様又は色彩の少なくともいずれかが異なる複数の、この考案にかかるクリップを一纏めにしたグラス区別用クリップセットとすると、パーティ会場で参加者に配布するといった使い方ができる。
【００２３】
なお、上記外側部材１１が板状である場合の正面から見た形状は、星形、三日月形、菱形、凧形、クローバー形、ハート形など特に限定されず、デザイン性に優れた任意の装飾形状としてよい。また、外側表面に様々な模様を刻む、又は印刷することで、識別子としての多様性を発揮させることが出来る。さらに、種類やカットの異なる宝石などを取り付けてその色や形状によって識別子としての多様性を発揮させることもできる。
【考案の効果】
【００２４】
この考案にかかるクリップを用いることにより、パーティ会場のようないくつものグラスを使用する場において、自分の使用しているグラスを優美に演出しつつ識別可能とすることができ、取り付けの際にグラスを破損する可能性を抑えることができる。そのために普段持ち歩く方法としては、シャツの胸ポケットに引っかけたり、スーツの社員章用ボタン穴に引っかけて、普段はアクセサリーとして使用し、必要なときにはそこから取り外してグラスに取り付けるといったことが可能になる。一方で、パーティ会場で上記外側部材が異なるクリップを配布して、各人が異なる上記外側部材からなるクリップを使用して各個のグラスを区別するようにすることもできる。
【考案を実施するための最良の形態】
【００２５】
以下、この考案の具体的な実施形態を説明する。まず、第一の実施形態にかかるクリップについて説明する。図１（ａ）はこのクリップの斜視図である。このクリップは、湾曲した凧形状の金属板からなる外側部材１１と、線状材からなる内側フック２１とからなる。図１（ｂ）は、このクリップを、内側フック２１を取り付ける側から見た背面図であり、図１（ｃ）は内側フック２１を取り付ける面とは逆方向から見た正面図である。図１（ｄ）は、このクリップを真横、すなわち外側部材１１の縁側から見た側面図である。
【００２６】
内側フック２１を構成する線状材は、１８金製の太さ０．７ｍｍ程度の針金であり、両方の端部２２，２２を並べて、外側部材１１の一方の面１６の取付部１２に、外側部材１１に対してほぼ垂直に取り付けてある。ただし、外側部材１１が湾曲しているため、厳密には取付部１２に対して垂直ではなく、グラスの外面と接することになる当接部１４の法線とほぼ平行となっている。この取付部１２は、凧形状の外側部材１１の長い方の対角線上の、対角線交点１８からやや離れた位置にある。また、外側部材１１も１８金製である。なお、当接部１４は対角線交点１８よりやや下方であり、長い方の対角線上にある。
【００２７】
内側フック２１を構成する線状材は、外側部材１１から２ｍｍ程度離れたところで、下方、すなわち外側部材１１の対角線交点１８側へ向けて外側部材１１に沿うように折り曲げてある。また、上記線状材は、この折曲部２４から中点まで左右対称に分かれ、端部２２，２２から最も離れた下方先端部２５となる線状材の中点まで左右対称に膨らんだ形状となっている。最も外側部材１１に接近する箇所、すなわち取り付け時にグラスと接する当接部２６，２６は、左右に分かれた線状材同士が最も離れた位置にある。折曲部２４から当接部２６，２６へ近づくに連れて、外側部材１１に緩やかに近づいていき、当接部２６、２６で最も外側部材１１に接近し、そこから下方先端部２５へは、外側部材１１から緩やかに離れるように、すなわち、取り付けた際のグラスの面から離れるように反っている。この当接部２６，２６同士の間隔Ｗは２〜１０ｍｍ程度に調整する。この当接部２６，２６の外側部材１１との隙間Ｌは０．５〜５ｍｍに調整する。
【００２８】
上記内側フック２１の折曲部２４、当接部２６、２６，及び下方先端部２５は、いずれも断面円形の線状材をエッジが出ることなく曲線を描くように曲げてある。エッジが出ていると、グラスへの取り付け時や、持ち歩く際の被服への取り付け時に引っ掛かってしまうためである。さらに、これらの内側フック２１の全ての部分は、外側部材１１側から見たとき、外側部材１１の影に隠れて見えないように配置している。外側部材１１側から見えても物理的な実害は無いが、内側フック２１が外側から見えない方が、装飾性がより高く好ましいためである。
【００２９】
また、外側部材１１の当接部１４より下方の、内側フック２１から離れるように反った箇所には、貫通孔１５が空けてある。この貫通孔１５は下方先端部１３の近傍であると好ましいが、強度の問題上、貫通孔１５の周囲の肉がある程度確保される位置であると好ましい。
【００３０】
さらに、外側部材１１の上記他方の面１７、すなわち取り付け時の外側面が、凧形の対角線交点１８近傍にある当接部１４で最も凹んでおり、そこから上方向も下方向も上記他方の面１７側、すなわち、内側フック２１から離れるように反っている。また、左右方向もわずかに上記他方の面１７側、すなわち内側フック２１から離れるように反っている。このため、上記一方の面１６の最も膨らんだ箇所である当接部１４が、一点でグラスの外面に接することとなる。また、貫通孔１５より下方では内側フック２１から離れる反りが緩やかになり、グラスへの取り付け時に下方先端部１３がほぼ下方向へ向くようになっている。具体的には、貫通孔１５近傍に反りの変曲点を有することになる。
【００３１】
図２は、第一の実施形態にかかるクリップをグラスの縁に取り付けた際の形態を示す。図２（ａ）はその斜視図であり、図２（ｂ）は取り付け部分の拡大図であり、図２（ｃ）はグラスの縁の縦方向断面拡大図であり、図２（ｄ）は周方向断面拡大図である。グラス１００に取り付ける際には、取付部１２が上方に、外側部材１１が外側を向くようにして、外側部材１１と当接部２６，２６との間の隙間Ｌにグラス１００を挟み、グラスの縁１０１が端部２２、２２の下側に接触して跨ぐまでこのクリップを押し込むと安定する。このとき、グラスの縁１０１がグラスの壁面よりもわずかに膨らんでいるが、隙間Ｌより上方の方が、隙間が大きくなっているため、この縁１０１の膨らみがあっても問題なく取り付けることができる。
【００３２】
グラスに取り付ける際には、グラスの縁１０１と、クリップの隙間Ｌとの水平位置が完全に一致していなくても、外側部材１１の当接部１４より下方の反り１９、又は、内側フック２１の当接部２６から下方の反り２７にグラスの縁１０１が接触すれば、グラスの縁１０１がその下部の反り１９，２７にそって滑り、隙間Ｌに嵌るので、細かい位置の微調整をすることなく嵌めることができる。
【００３３】
この実施形態にかかるクリップをグラスの縁１０１に取り付けた際の、グラス１００との接触関係は、図２（ｄ）に示すように、外側部材１１の内側フック２１側の面上の当接部１４でグラス１００の外面と接し、フックの当接部２６，２６の外側部材１１側のそれぞれの箇所でグラス１００の内面と接している。これら三カ所で接することにより、内面が一点で接する形態よりも姿勢が安定し、取り付け後は傾くことなく美観を維持できる。
【００３４】
図３（ａ）は、上記の貫通孔１５にピアス型装飾品１１１を取り付けた際の形態の斜視図を、図３（ｂ）はその断面図を示す。この貫通孔１５の穴の径は０．５〜３ｍｍ程度であり、一般にピアスとして利用可能な装飾品をこの貫通孔１５に通して固定し、クリップのファッション性を向上させることになる。クリップをグラス１００に取り付けると、ピアスと同様に貫通孔１５からピアス型装飾品１１１が垂れ下がり、装飾品として適切な形態で留まる。また、実際のピアスに限らず、貫通孔１５を通して固定できる装飾品であれば、このクリップに取り付けることができる。
【００３５】
なお、貫通孔１５より下方では反りが緩やかになって、変曲点から先は反りが逆になるため、取り付けられたピアス型装飾品１１１は、取り付け形態が撥ね上がることなく、通常のピアスのように下を向いたものとなり、その装飾品が最も見栄えがする姿勢で固定させることができる。
【００３６】
この実施形態にかかるクリップの外側部材は、必ずしも図１〜３に記載の凧形の形態に限られるものではなく、様々な種類のものがあってよい。上記外側部材の形態が異なる様々な実施形態のクリップを、一堂に会するパーティの参加者が使うことで、それぞれ各人がどのグラスを使っているかを識別することができる。そのような上記外側部材の形態が異なる実施形態の他の例を図４乃至８に示す。
【００３７】
図４は、第二の実施形態の斜視図である。この実施形態は、図１に示す第一の実施形態のクリップで用いる凧形金属板からなる外側部材１１の代わりに、五方星形の反った金属板からなる外側部材３１を取り付けたものである。この実施形態における外側部材３１は内側フック２１側に向かって膨らんだ曲面を有しており、五方向の突起全てが内側フック２１から離れるように反って湾曲している。すなわち、星形のほぼ中心付近にある当接部３４でグラスの外面と接することになる。内側フック２１を取り付ける取付部３２は、五方向の突起３５〜３９の一つに設けてある。ここでは突起３５に設けてあり、この突起３５が上方に向く。内側フック２１は、外側部材３１側から見ると、内側フック２１は外側部材３１の裏に隠れて見えないように配置されている。また、取付部３２のある突起３５と隣接していない突起３７、３８が斜め下方に向いており、このうちの一方の突起３７の下方先端近傍に、貫通孔３３が設けてある。突起３７の貫通孔３３より先は、反りを緩やかにして先端が下を向くようにしてある。内側フック２１の形状は上記の第一の実施形態と同様である。
【００３８】
図５は、第三の実施形態の斜視図である。この実施形態は、図１に示す第一の実施形態のクリップで用いる凧形金属板からなる外側部材１１の代わりに、四つ葉のクローバー状の金属板からなる外側部材４１を取り付けたものである。この実施形態における外側部材４１の中心部分が内側フック２１側へ向かって膨らんだ曲面を有しており、この中心にグラスの外面と接することになる当接部４４がある。四方向の葉状部４５〜４８は、それぞれ当接部４４から上、横、下、横方向に向いて延びている。また四つの葉状部４５〜４８が全て内側フック２１と反対側へ反っている。内側フック２１を取り付ける取付部４２は、四つの葉状部のうちの上方を向いた葉状部４５に設けてある。また、取付部４２を設けた葉状部４５とは反対側の、下方を向いた葉状部４７に、貫通孔４３が設けてあり、この葉状部４７だけは貫通孔４３より下方の反りを逆にして先端が下を向くようにしてある。なお、内側フック２１の形状は上記の図１に示すクリップと同様である。
【００３９】
図６は、第四の実施形態の斜視図である。この実施形態は、図１に示す第一の実施形態のクリップで用いる凧形の外側部材１１の代わりに、ハート形の金属板からなる外側部材５１を取り付けたものである。内側フック２１を取り付ける取付部５２は、外側部材５１上方の二つ並んだ丘部５５，５６のうちの一方の丘部５５に設けてある。丘部５５，５６ともに、外側となる面側に反っている。また外側部材５１は、取付部５２から内側フック２１の下方先端部２５へ向かって進んだ中心近傍に、内側フック２１に最も近づいておりグラスの外面に接することになる当接部５４が設けてある。さらに、当接部５４より下方も内側フック２１から離れるように反っている。ただし、下方先端部分５７には貫通孔５３が設けてあり、この貫通孔５３より下方では内側フック２１から離れる反りが緩やかになっている。ただし、ハート形の下方先端部分５７の頂点は、取り付け時の真下方向からわずかに横に撥ねて、内側フック２１が設けられた丘部５５側に曲がっている。この取付部５２の位置が一方の丘部５５に寄っていることと、下方先端部分５７の撥ねにより、この実施形態にかかるクリップはアシンメトリーな印象を与える装飾性を発揮する。なお、内側フック２１の形状は上記の図１に示すクリップと同様である。
【００４０】
図７は、第五の実施形態の斜視図である。この実施形態は、図１に示す第一の実施形態のクリップで用いる凧形の外側部材１１の代わりに、三日月形の金属板からなる外側部材６１を取り付けたものである。三日月形の一方の先鋭部６５からやや離れた箇所に、内側フック２１を取り付ける取付部６２が設けてあり、この一方の先鋭部６５が上方を向く。また、他方の先鋭部６６は斜め下方を向き、その近傍には貫通孔６３が設けてある。内側フック２１の折曲部より先は、グラスの外側から見ると、外側部材１１の三日月形の太くなった部分に重なるようになっている。すなわち、外側部材６１側から見ると、内側フック２１は外側部材６１の裏に隠れて見えないように配置されている。内側フック２１自体は左右対称であるが、グラスに取り付けた際に外側部材６１は特に左右対称となるわけではなく、取付部６２が設けられた一方の先鋭部６５が上方を向き、他方の先鋭部６６が斜め下方を向いた配置でグラスの縁１０１に留まることとなり、アシンメトリーな印象の強い装飾性を発揮する。また、外側部材６１は、内側フック２１の当接部２６，２６に相対する箇所の中点近傍にグラスの外面と接することになる当接部６４がある。その当接部６４より一方の先鋭部６５側も、他方の先鋭部６６側も、内側フック２１から離れるように反っている。ただし他方の先鋭部６６の貫通孔６３より下方は、その反りが緩やかになっている。
【００４１】
図８は、第六の実施形態の斜視図である。この実施形態は、図１に示す第一の実施形態のクリップで用いる凧形の外側部材１１の代わりに、柳葉状の短冊である金属板の両端を点対称方向に撥ねたものとした外側部材７１を取り付けたものである。一方の先端７７からやや離れた箇所に、内側フック２１を取り付ける取付部７２が設けてある。また、その一方の先端７７とほぼ点対称となる他方の先端７８近傍に、貫通孔７３が設けてある。一方の先端７７が上方に、他方の先端７８が下方に向く。また、柳葉の両筋７５，７６のうち、内側フック２１側から見て右側の筋７６にはふくらみを持たせてある。これにより単なる左右対称の柳葉よりもボリューム感のある美的印象を与える。また、外側部材７１は、柳葉のほぼ中心付近で、内側フック２１の当接部２６，２６に相対する箇所の中点近傍に、グラスの外面に接することになる当接部７４を有している。さらに外側部材７１は当接部７４より一方の先端７７側も、他方の先端７８側も、内側フック２１から離れるように反っており、貫通孔７３より下方はその反りが緩やかになっている。
【図面の簡単な説明】
【００４２】
【図１】（ａ）第一の実施形態にかかるクリップの斜視図、（ｂ）（ａ）の背面図、（ｃ）（ａ）の正面図、（ｄ）（ａ）の側面図
【図２】（ａ）第一の実施形態にかかるクリップを取り付けた際の斜視図、（ｂ）（ａ）の拡大図、（ｃ）（ａ）の縦方向断面拡大図、（ｄ）（ａ）の周方向断面拡大図
【図３】（ａ）ピアス型装飾品を取り付けた際の斜視図、（ｂ）（ａ）の縦断面図
【図４】第二の実施形態にかかるクリップの斜視図
【図５】第三の実施形態にかかるクリップの斜視図
【図６】第四の実施形態にかかるクリップの斜視図
【図７】第五の実施形態にかかるクリップの斜視図
【図８】第六の実施形態にかかるクリップの斜視図
【図９】（ａ）従来の板バネによるグラス識別用クリップの概略図、（ｂ）（ａ）の縦断面図
【符号の説明】
【００４３】
Ｌ  隙間
Ｗ  間隔
１  板バネ
２  外側の板
３  内側の板
１１，３１，４１，５１，６１，７１  外側部材
１２，３２，４２，５２，６２，７２  取付部
１３  下方先端部
１４、３４，４４、５４、６４、７４  当接部
１５、３３、４３、５３、６３、７３  貫通孔
１６  一方の面
１７  他方の面
１８  対角線交点
１９  下部の反り
２１  内側フック
２２  端部
２４  折曲部
２５  下方先端部
２６  当接部
２７  反り
３５、３６，３７，３８，３９  突起
４５、４６，４７，４８  葉状部
５５，５６  丘部
５７  下方先端部分
６５  一方の先鋭部
６６  他方の先鋭部
７５  筋
７６  （ふくらみを持たせた）筋
７７  一方の先端
７８  他方の先端
１００  グラス
１０１  縁
１１１  ピアス型装飾品
【図１】
0003147010.tif 000003
【図２】
0003147010.tif 000004
【図３】
0003147010.tif 000005
【図４】
0003147010.tif 000006
【図５】
0003147010.tif 000007
【図６】
0003147010.tif 000008
【図７】
0003147010.tif 000009
【図８】
0003147010.tif 000010
【図９】
0003147010.tif 000011